(57)【要約】【課題】多種、雑多な建設廃材を含んでいる建設発生土を、単純な水路を利用するだけで、特別な機械的装置を使用することなく分離、回収できる装置と方法を提供する。【解決手段】液体の流動方向を横断する方向に設けた複数の網で仕切った水路を使用する。水路の上流から建設廃材を含む建設発生土砂および水を投入する。この廃材混合泥水から、網の目の寸法や、泥水の流速によって、大礫などの重量物、小礫、粗砂、細砂などに分類して沈下させる。【選択図】        図１
2005246323.tif 000002
【特許請求の範囲】
【請求項１】
建設廃材を含む建設発生土を資源化する装置であって、
複数の網で仕切った水路よりなり、
この仕切り網は、液体の流動方向を横断する方向に設け、
かつ仕切り網は、下流に至るにしたがって順次その目の間隔が小さいもので構成し、
さらに、仕切り網は、交換可能に構成した、
建設発生土の再資源化装置。
【請求項２】
建設廃材を含む建設発生土を資源化する方法であって、
液体の流動方向を横断する方向に、複数の網で仕切った水路を使用し、
水路の上流から建設廃材を含む建設発生土砂および水を投入する工程と、
この泥水から、網の目の寸法や、泥水の流速によって、
大礫などの重量物、小礫、粗砂、細砂などに分類して沈下させる工程とによって構成した、
建設発生土の再資源化方法。
【発明の詳細な説明】
【技術分野】
【０００１】
本発明は、多種多様の建設廃材を含んだ建設発生土を再度、資源として活用するための装置と方法に関するものである。
【背景技術】
【０００２】
建設工事で発生した建設発生土には土砂以外にもコンクリート塊、木材片、鉄筋クズ、その他の各種のサイズ、各種の建設廃材が混在している。
したがって、建設工事で発生した土砂を再度資源として利用することは簡単ではなく、まずコンクリート塊や木材片、鉄筋などを排除する必要があり、次の排除後の発生土を礫や砂の直径に応じて分級する作業が必要となる。
そうした目的の方法や装置が開発されている。
【特許文献１】特開平６−３９３６５号公報
【特許文献２】特開平１１−１２３３６６号公報
【発明の開示】
【発明が解決しようとする課題】
【０００３】
前記した従来の建設発生土の再資源化装置にあっては、次のような問題点がある。
＜１＞振動フルイを使用して建設発生土に機械的に振動を与えて、直径別に分級する方法や、遠心分離機を使用する方法では、粘土が礫などに付着していると、直径に応じた分級を行うことが困難である。
＜２＞礫などに付着した粘土を排除して、直径に応じて分級するには乾燥させるか、あるいは多量の水を用いて洗うなど、多くのエネルギーが必要となる。
＜３＞建設発生土には、前記したようにコンクリート塊や鉄筋クズ、木片などまったく性質の異なる各種の材料が混在しているので、通常の振動フルイによる分類をそのまま利用することはできない。
＜４＞建設発生土には、きわめて粒径の小さい微粒子分も含まれており、このような微粒子は泥土の固化材などに転用できる。しかるに建設発生土からの回収が困難であるために、別に費用をかけて採掘を行うという不経済で、環境に悪影響を及ぼす作業が行われている。
【課題を解決するための手段】
【０００４】
上記のような課題を解決するために、本発明の建設発生土の再資源化装置は、建設廃材を含む建設発生土を資源化する装置であって、複数の網で仕切った水路よりなり、この仕切り網は液体の流動方向を横断する方向に設け、仕切り網は、下流に至るにしたがって順次その目の間隔が小さいもので構成し、かつ仕切り網は、交換可能に構成した、建設発生土の再資源化装置を特徴としたものである。
【０００５】
また本発明の建設発生土の再資源化方法は、建設廃材を含む建設発生土を資源化する方法であって、液体の流動方向を横断する方向に設けた複数の網で仕切った水路を使用し、水路の上流から建設廃材を含む建設発生土砂および水を投入する工程と、この廃材混合泥水から、網の目の寸法や、泥水の流速によって、大礫などの重量物、小礫、粗砂、細砂などに分類して沈下させる工程とによって構成した、建設発生土の再資源化方法を特徴としたものである。
【発明の効果】
【０００６】
本発明の建設発生土の再資源化装置は以上説明したようになるから次のような効果を得ることができる。
＜１＞粘土の付着している材料でも、乾燥させたり、水洗いのような手数を要する作業を行うことなく、簡単に建設発生土を再度資源として活用することができる。
＜２＞コンクリート塊や鉄筋クズ、木片などまったく性質の異なる各種の材料が混在していても、容易に分類して建設発生土を再度資源として活用することができる。
＜３＞振動フルイのような機械的に作動する部分がないから、装置の補修や維持管理が容易であり、建設発生土を安価に再利用することができる。
＜４＞建設発生土に含まれている利用価値のある、きわめて粒径の小さい微粒子分を簡単に回収して再利用することができる。
【発明を実施するための最良の形態】
【０００７】
以下図面を参照にしながら本発明の好適な実施の形態を詳細に説明する。
【実施例】
【０００８】
＜１＞水路。
本発明の、建設廃材を含む建設発生土３を資源化する装置は、水路１によって構成する。
この水路１の底面１１は、徐々に変化を与え、上流側よりは、下流側を浅い状態で構成する。
水路１の上流からは後述するように建設発生土３と水を投入する。
一方、水路１の下流端には排水路１４を設け、その排水路１にゲート１２を設置しておけば、ゲート１２の開閉によって水路１内の水量を確保し、維持することができる。
前記したように建設発生土３は、多種、雑多な建設廃材を含んでいる複雑な対象物であるが、本発明の装置と方法は、単純な水路１を利用するだけで、特別な機械的装置を使用することなく分離、回収できるから、きわめて安価に利用することができる。
【０００９】
＜２＞仕切り網２。
この水路１には複数枚の仕切り網２を設ける。
この仕切り網２は、液体の流動方向を横断方向に設ける。
仕切り網２の網２の目は同一ではなく、下流に設ける仕切り網２の方を、上流に設けた仕切り網２の目よりも順次その間隔が小さいもので構成する。
上流側の仕切り網２とそれより下流側の仕切り網２との間に、中間の仕切り網２を設置する場合に、上流側の仕切り網２の目の間隔と同一の間隔のものを設置することも可能である。
仕切り網２は、水路１を完全に横断する状態で設置する場合もあるが、それに限らず、端部には網２を設けない開放部２１を設けることも可能である。
こうして上流から下流側に向けて、仕切り網２を設置しない開放部２１を交互に設けておけば、水流に横断方向への動きを与えて、上流側から下流側へ直進させずに迂回した流れを発生させることができる。
この仕切り網２は、交換が可能なように構成する。
この交換によって、老朽化した網２の更新ができるが、それだけではなく、目の間隔が異なる網２を設置することによって泥水の流動速度を調整することができる。
あるいは複数の網２を重ねて設置することによって、さらに微妙な流動速度の調整が可能である。
あるいは一部の網２を取り除くことによって、流速を上昇させる調整を行うこともできる。
【００１０】
＜３＞建設発生土３の投入。
複数の仕切り網２で仕切った水路１の上流から、多種多様な建設廃材を含んだ建設発生土３と、水を投入する。
建設発生土３に加水することによって、水路１は泥水で満たされ、下流の排水路１４に向けて流れることになる。
【００１１】
＜４＞大礫の沈下。
最上流の仕切り網２よりも上流の範囲では、建設発生土３の中の礫やコンクリート塊、あるいは鉄筋クズなどの重量物はほとんど流れて移動することなく、その場で沈殿する。
同時に水の比重よりも軽い木片３１などは泥水の表面を浮遊するので、水路１の外部から油圧ショベルなどによってすくい取って排除することができる。
【００１２】
＜５＞小礫などの沈下。
最上流で投入する水の量や、下流のゲート１２から排水する水量、網２の枚数、網２の目の間隔などによって、泥水の移動速度が変化する。
この泥水の移動速度や、仕切り網２の目の寸法によって、各種の材料はその比重に応じた速度を与えられ、その限界において水路１の底に沈下する。
こうして、大礫などの重量物以外に、直径の小さい小礫、それよりも小さい粗砂、さらに小径の細砂などに分類して沈下させることができる。
【００１３】
＜６＞資源の回収。
こうして仕切り網２の目や流速によって、特別な装置を必要とせずに簡単に比重に応じた分級ができるから、底面１１に堆積した材料を、ポンプ１３や油圧ショベルなどによって水路１の床から回収して、新たな目的に使用することができる。
したがって、直径が２ｍｍ以下のような微粒子であっても、流速や網２の目の調整によって底面１１に沈下させることができるから、有効に再利用することができる。
特にこのような固化材などの用途に使用できる微粒子は、フルイを用いるような機械的な方法では回収することが困難である。
【００１４】
＜７＞骨材の分級。
以上は、建設発生土３の分級について説明したが、上記の構成の水路１に、直径の異なる骨材を投入すれば、上記と同様の原理で簡単に分級を行うことができる。
特に本発明の水路１には機械的な作動部分がないから、振動フルイを使用するプラントのような故障の発生がなく、安価で安全に骨材の分級を行うことができる。
【図面の簡単な説明】
【００１５】
【図１】本発明の建設発生土３再資源化装置の実施例の説明図。
【図２】その断面図。
【符号の説明】
【００１６】
１：水路
２：仕切り網
３：建設発生土
【図１】
2005246323.tif 000003
【図２】
2005246323.tif 000004